(57)【要約】【課題】長期間に亘って一定の外観を維持し続けることが可能な耐久性に優れた軽量のスポーツ用品を提供する。【解決手段】部材本体２と、部材本体の外側に形成された透明状の装飾層４と、装飾層に混入された構造発色する構造発色体６とを備えており、構造発色体は、各々、無色透明状で且つ光の屈折率が相対的に異なる薄膜を複数層重ねて形成されている。【選択図】図１
2008073056.tif 000002
【特許請求の範囲】
【請求項１】
部材本体と、この部材本体の外側に形成された透明状の装飾層と、この装飾層に混入された構造発色する構造発色体とを備えており、構造発色体は、透明状で且つ光の屈折率が相対的に異なる薄膜を複数層重ねて形成されていることを特徴とするスポーツ用品。
【請求項２】
前記部材本体は、繊維強化プラスチックで形成されており、前記透明状の装飾層及び前記構造発色体は、夫々、合成樹脂材料で形成されていることを特徴とする請求項１に記載のスポーツ用品。
【発明の詳細な説明】
【技術分野】
【０００１】
本発明は、例えば、釣竿、リール、ルアー、魚釣用友船、クーラーボックス、ゴルフクラブ、テニスラケット、スキー板及びスキーストック等のスポーツ用品に関する。
【背景技術】
【０００２】
上述したような各種のスポーツ用品は、直接日光が当たる自然界において使用されている。また、従来、このスポーツ用品の外面には、塗装処理時に例えば金属粒子を混入した塗料によって塗装処理が施され、光輝性外観を呈示させる塗膜が形成されている。
【発明の開示】
【発明が解決しようとする課題】
【０００３】
しかしながら、従来のスポーツ用品には、直接日光が当たる自然界において長期間使用していると、一定の外観を維持し続けることができないといった問題があった。具体的には、スポーツ用品の外面に形成されている塗膜の色が退色（色あせ）してしまうだけで無く、金属粒子の酸化等により塗膜の色が変化したり、塗膜が剥離してしまうといった耐久性の点で問題があった。また、金属メッキや金属フィルムを表面に形成することも考えられるが、スポーツ用品の重量が増加してしまうといった新たな問題が生じる。
【０００４】
本発明は、このような問題を解決するために成されており、その目的は、長期間に亘って一定の外観を維持し続けることが可能な耐久性に優れた軽量のスポーツ用品を提供することにある。
【課題を解決するための手段】
【０００５】
このような目的を達成するために、本発明のスポーツ用品は、部材本体と、この部材本体の外側に形成された透明状の装飾層と、この装飾層に混入された構造発色する構造発色体とを備えており、構造発色体は、透明状で且つ光の屈折率が相対的に異なる薄膜を複数層重ねて形成されている。
【発明の効果】
【０００６】
本発明によれば、長期間に亘って一定の外観を維持し続けることが可能な耐久性に優れた軽量のスポーツ用品を提供することができる。
【発明を実施するための最良の形態】
【０００７】
以下、本発明のスポーツ用品について、添付図面を参照して説明する。なお、本発明のスポーツ用品としては、例えば、釣竿、リール、ルアー、魚釣用友船、クーラーボックス、ゴルフクラブ、テニスラケット、スキー板及びスキーストック等が該当する。
【０００８】
図１には、本発明の第１の実施の形態に係るスポーツ用品が示されており、このスポーツ用品は、部材本体２と、部材本体２の外側に形成された透明状の装飾層４と、装飾層４に混入された構造発色する構造発色体６とを備えており、構造発色体６は、各々、無色透明状で且つ光の屈折率が相対的に異なる薄膜８，１０（図２参照）を複数層重ねて形成されている。
【０００９】
なお、図１（ａ）には、管状の本体部材２が示されているが、これは、前述したような種々のスポーツ用品に用いられている管状部を示している。
【００１０】
部材本体２は、例えば、ガラス繊維、カーボン繊維、ボロン繊維等の強化繊維にエポキシ樹脂等の合成樹脂を含浸して成るプリプレグシートを複数巻回することによって形成した本体層１２（図１（ｂ）参照）を備えている。
【００１１】
このような本体層１２の外面には、例えばウレタンやエポキシ等の樹脂から成る下地層１４が形成されており、上述した透明状の装飾層４は、下地層１４の外面に形成されている。そして、この装飾層４の外面には、透明状の保護層１６が形成されている。なお、本明細書において、「透明状」という用語とは、透明又は半透明を含めた上位概念を意味する。
【００１２】
装飾層４は、構造発色する構造発色体６を混入した例えばエポキシやウレタン等の塗料１８を下地層１４の外面に塗装又は印刷することによって形成することが可能である。この場合、構造発色体６は、一方向に揃えて配列させたり、ランダム方向に配列させることが可能であるが、このような配列構成は、使用目的（構造発色させたい色の種類）に応じて任意に変更することが可能である。なお、装飾層４は、単層或いは複数層に構成することが可能であるが、図１（ｂ）には、その一例として、単層から成る装飾層４が示されている。
【００１３】
図２及び図３に構造発色体６の形態を示す。図２の構造発色体６は、全体的に粒子状を成している。具体的には、この構造発色体６は、無色透明状で且つ光の屈折率が相対的に異なる極薄膜８，１０を複数層重ねて形成されており、光の屈折率の差の組み合わせによって所望の構造発色（特定の色、複数の色、干渉色など）を出すことができるように構成されている。
【００１４】
この場合、極薄膜８，１０の積層数は、５層以上（好ましくは、１０〜３０層）に設定することが好ましく、また、極薄膜８，１０の１層当たりの層厚は、３μｍ以下（好ましくは、０．５μｍ以下）に設定することが好ましい。更に、このような設定条件に基づいて、構造発色体６の厚さは、２０μｍ以下（好ましくは、１０μｍ以下）に設定することが好ましい。
【００１５】
また、箔状粒子の形状に構造発色体６を構成しても良く、この場合、大きさを１００μｍ以下で厚さを数μｍ以下にすると良い。或いは、薄い装飾層にするためには、大きさが数μｍ以下で厚さが０．５μｍ以下にすると良い。
【００１６】
このような構造発色体６において、屈折率が相対的に異なる極薄膜８，１０を重ねる順番や組み合わせ等は、使用目的（構造発色させたい色の種類）に応じて適宜選択することが可能である。この場合、積層された複数層の極薄膜８，１０の間に、例えば気体層や液体層或いは金属層等を介在させても良い。なお、図２には、その一例として、屈折率の大きい極薄膜８と屈折率の小さい極薄膜１０とを交互に重ね合わせて形成した構造発色体６が示されている。
【００１７】
また、構造発色とは、無色透明状で且つ光の屈折率が相対的に異なる極薄膜８，１０を複数層重ねて形成した構造発色体６に光（例えば、自然光、赤外線光、紫外線光）を照射したときに、各々の極薄膜８，１０から特定波長の光が反射することによって構造発色体６表面に現れる発色作用のことを意味する。
【００１８】
このような構造発色体６において、屈折率が相対的に異なる複数の極薄膜８，１０は、例えば金属材料や天然材料を用いて形成することが可能であるが、サビ等が発生しない耐久性に優れた構造発色体６を実現するためには、例えばポリエステルやポリアミド等の合成樹脂材料で複数の極薄膜８，１０を形成することが好ましい。
【００１９】
なお、図１（ｂ）に示した実施の形態において、下地層１４を設けること無く本体層１２の外面に装飾層４を直接形成する場合には、装飾層４を均一に形成することができるように、本体層１２の外面を鏡面状に加工することが好ましい。この場合、本体層１２の外面を鏡面状に加工する方法としては、例えば、バレル研磨、バフ仕上げ等を適用することが可能である。
【００２０】
このような構成によれば、保護層１６の内側の装飾層４において無色透明状で且つ光の屈折率が相対的に異なる極薄膜８，１０を複数層重ねて形成した構造発色体６を配列して、スポーツ用品を構成したことによって、従来技術で生じたような退色（色あせ）や色の変化並びに剥離等の問題を生じること無く、長期間に亘って一定の外観を維持し続けることが可能な耐久性に優れた軽量のスポーツ用品を実現することができる。更に、構造発色体６を用いたことによって、従来技術の染料や顔料で着色する塗装処理では大量の廃液が出ると共に大量の水や電気を必要とするといった問題を生じること無く、環境汚染といった問題をも解消することが可能となる。
【００２１】
図３には、他の構造発色体６が示されている。この構造発色体６は、細長い円筒状の形態を成しているが、この構造発色体６は、第１の実施の形態の構造発色体６（図１及び図２参照）と同様の光学的作用効果を奏する。同図（ａ）には、無色透明状で且つ光の屈折率が相対的に異なる薄膜２０を複数層重ねて巻回して形成した中空円筒状の構造発色体６が示されており、同図（ｂ）には、細長い棒状の芯材２２の外周に無色透明状で且つ光の屈折率が相対的に異なる薄膜２０を複数層重ねて巻回して形成した円筒状の構造発色体６が示されている。
【００２２】
このような細長い円筒状の構造発色体６の使用態様としては、この構造発色体６を細かく粉砕して、上記第１の実施の形態の構成と同様に装飾層４（図１及び図２参照）中に配列することによって、上記第１の実施の形態と同様の作用効果を実現することが可能である。また、別の使用態様としては、例えば、細長い円筒状の構造発色体６をそのまま用いて、この構造発色体６をスポーツ用品の外面に巻装させても良い。粒子状にする場合は、数μｍ以下にして用いるが、繊維状にして用いる場合は、薄い装飾層及び軽量化を図るために、直径を１００μｍ以下、好ましくは、１０μｍ以下にすると良い。また、繊維を引き揃えたり織布として、プリプレグシートやフィルム状にして、本体部材の外層に一体に巻装して用いることもできる。
【００２３】
更に、図３（ｂ）の構成によれば、芯材２２の材料の物性や特性等に応じた構造発色効果を実現することが可能となる。この場合、芯材２２の材料として例えばカーボン繊維やガラス繊維等の強化繊維を用いることによって、構造発色体６の強度を向上させることができる。
【００２４】
図４には、本発明の第２の実施の形態が示されており、対象物に接着可能なフィルム２４が図４（ａ）に示されている。フィルム２４は、下面に粘着剤層２６が形成された基板フィルム２８を備えており、基板フィルム２８の上面には、上述した実施の形態に適用した構造発色体６が混入された装飾層４が設けられている。そして、装飾層４の外面には、透明状の保護層１６が形成されている。
【００２５】
基板フィルム２８の材料としては、例えば、ポリエステルやＰＶＣ等の極肉厚の透光性フィルムを用いると良い。また、粘着剤層２６の材料としては、通常の粘着剤の他に、加熱硬化型の粘着剤又は接着剤等の材料を適用する。
【００２６】
このような構成によれば、フィルム２４をスポーツ用品の所望の部位に貼り付けることによって、スポーツ用品を部分的に構造発色させることが可能となる。例えば図４（ｂ）に示すように、フィルム２４は、図１に示された構成を有する部材本体２の表面に貼り付けることができる。この場合、フィルム２４を保護するために、部材本体２及びフィルム２４の外面全体に亘って保護層３０をコーティングすることが好ましい。
【００２７】
フィルム２４の貼付位置としては、強度低下を来さない位置（例えば、釣竿の元竿管、小口部、握り部の前部や後部など）にフィルム２４を貼り付けることが好ましい。また、釣竿の穂先竿管にフィルム２４を貼り付ければ、釣竿のしなり量の識別標識として機能させることもできる。
【００２８】
なお、保護層１６の代わりに基板フィルム２８を設けると共に、粘着剤層２６上の基板フィルム２８を除去してフィルム２４を構成しても良い。このような構成によれば、保護層１６を兼ねた基板フィルム２８を構成できるため、フィルム２４を薄肉化し易くなる。
【００２９】
図５には、本発明の第３の実施の形態に係るスポーツ用品が示されている。この第３の実施の形態のスポーツ用品は、上述した第１の実施の形態の改良であって、構造発色体６が配列された装飾層４が２層重ねて形成されている。その他の構成は、第１の実施の形態と同一であるため、同一符号を付して、その説明を省略する。
【００３０】
この場合、図５に示すように、各々の装飾層４中の構造発色体６を一方向に揃えて配列（例えば、スポーツ用品表面と平行に配列）すれば、装飾的効果（具体的には、構造発色の光学的な作用効果）を目立たせることができる。また、保護層１６側から見ると、単色に見える。
【００３１】
なお、本実施の形態では、その一例として、装飾層４を２層重ねているが、これに限定されることは無く、３層以上に重ねても良い。
【００３２】
図６には、本発明の第４の実施の形態に係るスポーツ用品が示されている。この第４の実施の形態のスポーツ用品は、上述した第１の実施の形態の改良であって、装飾層４中の構造発色体６は、ランダム方向に配列されている。
【００３３】
このように構造発色体６をランダム方向に配列することによって、複雑な色の構造発色を実現することが可能となる。また、保護層１６側から見ると、複数色が同時に見える外観にすることができる。
【００３４】
図７には、本発明の第５の実施の形態に係るスポーツ用品が示されている。この第５の実施の形態のスポーツ用品は、上述した第１の実施の形態の改良であって、管状の本体部材２の表面に例えば強化繊維等の糸条体３２が模様層として一定の間隔で巻き付けられている。
【００３５】
このように糸条体３２を巻き付ければ、これら糸条体３２の間から装飾層４（図１参照）が部分的に露出し、糸条体３２と装飾層４との組み合わせに応じた装飾的効果（具体的には、構造発色の光学的な作用効果）を発揮させることができると共に、外観的にも複合装飾となり綺麗になる。また、糸条体３２を巻き付けたことによって、装飾層４の耐久性を更に向上させることが可能となる。
【００３６】
図８には、本発明の第６の実施の形態に係るスポーツ用品が示されている。この第６の実施の形態のスポーツ用品は、上述した第１の実施の形態の改良であって、部材本体２の外面を凹凸状に変化させている。具体的には、本体層１２の外面に凹凸を施し、この凹凸状の外面上に下地層１４を介して装飾層４及び保護層１６を順に積層させている。
【００３７】
このような構成によれば、本体層１２及び下地層１４の凹凸変化に従って装飾層４も凹凸変化させることができるため、装飾層４の装飾的効果（具体的には、構造発色の光学的な作用効果）に変化を付けることが可能となる。
【００３８】
図９には、本発明の第７の実施の形態に係るスポーツ用品が示されている。この第７の実施の形態のスポーツ用品は、上述した第１の実施の形態の改良であって、装飾層４の外面に複数層から成る透明状の被膜層３４が形成されている。
【００３９】
この場合、被膜層３４の材料としては、その外観性を向上させるために、例えば、染料を入れた透明感のあるカラーの塗料を用いて、複合色化したり、また、明度（装飾層の明度）を調節したりすると良い。
【００４０】
このような構成によれば、装飾層４の外面に複数層から成る透明状の被膜層３４を形成したことによって、装飾層４の装飾的効果（具体的には、構造発色の光学的な作用効果）に加えて、更に、複数層の被膜層３４自体からの発色の変化を加えることが可能となる。
【００４１】
図１０には、本発明の第８の実施の形態に係るスポーツ用品が示されている。この第８の実施の形態のスポーツ用品は、上述した第１の実施の形態の改良であって、装飾層４を複数層重ねて形成されている。
【００４２】
このように装飾層４を複数層重ねることによって、装飾層４の層数に応じた装飾的効果（具体的には、構造発色の光学的な作用効果）を発揮させることが可能となる。
【００４３】
図１１には、本発明の第９の実施の形態に係るスポーツ用品即ち釣竿が示されている。この第９の実施の形態の釣竿には、上述した第１〜第８の実施の形態に適用した種々の装飾層４が適宜選択的に用いられている。
【００４４】
その１つの使用例としては、釣竿の穂先竿管３６、中竿管３８、元竿管４０の夫々において、装飾的効果（具体的には、構造発色の光学的な作用効果）が段階的に変化するように、装飾層４を構成し且つ配置する。
【００４５】
このような配置構成によれば、従来技術で生じたような退色（色あせ）や色の変化並びに剥離等の問題を生じること無く、長期間に亘って一定の外観を維持し続けることが可能な耐久性に優れた軽量の釣竿を実現することができる。
【００４６】
図１２には、本発明の第１０の実施の形態に係るスポーツ用品として、複数のプリプレグシート４２を用いて形成可能なスポーツ用品が示されている。
【００４７】
図１２（ａ）に示すように、プリプレグシート４２は、所定方向に引き揃えられた複数本の強化繊維４４に樹脂を含浸して形成されており、このようなプリプレグシート４２に装飾層４（図１参照）が一体化されている。
【００４８】
図１２（ｂ）には、装飾層４が一体化されたプリプレグシート４２をスポーツ用品の本体４６上に形成した例が示されている。この場合、プリプレグシート４２を保護するために、プリプレグシート４２の外面に保護層４８を形成することが好ましい。
【００４９】
このようにプリプレグシート４２に装飾層４を一体化すれば、スポーツ用品の一連の製造工程において同時に装飾層４を配置させることが可能となり、その結果、製造プロセスが簡略化して製造コストを低減させることができる。
【図面の簡単な説明】
【００５０】
【図１】（ａ）は、本発明の第１の実施の形態に係るスポーツ用品を概略的に示す斜視図、（ｂ）は、同図（ｂ）のｂ−ｂ線に沿う断面図。
【図２】構造発色体の構成を示す図。
【図３】他の構造発色体の構成を示す図であって、（ａ）は、中空円筒状の構造発色体の構成を示す図、（ｂ）は、芯材の外周に巻回された円筒状の構造発色体の構成を示す図。
【図４】（ａ）は、本発明の第２の実施の形態に係るフィルムの構成を概略的に示す断面図、（ｂ）は、装飾層を有するフィルムを部材本体に貼り付けた状態を示す断面図。
【図５】本発明の第３の実施の形態に係るスポーツ用品の構成を示す断面図。
【図６】本発明の第４の実施の形態に係るスポーツ用品の構成を示す断面図。
【図７】本発明の第５の実施の形態に係るスポーツ用品を概略的に示す斜視図。
【図８】本発明の第６の実施の形態に係るスポーツ用品の構成を示す断面図。
【図９】本発明の第７の実施の形態に係るスポーツ用品の構成を示す断面図。
【図１０】本発明の第８の実施の形態に係るスポーツ用品の構成を示す断面図。
【図１１】本発明の第９の実施の形態に係るスポーツ用品を概略的に示す斜視図。
【図１２】（ａ）は、本発明の第１０の実施の形態に係るスポーツ用品の構成を概略的に示す斜視図、（ｂ）は、装飾層を有するプリプレグシートを本体に貼り付けた状態を示す断面図。
【符号の説明】
【００５１】
２    部材本体
４    装飾層
６    構造発色体
【図１】
2008073056.tif 000003
【図２】
2008073056.tif 000004
【図３】
2008073056.tif 000005
【図４】
2008073056.tif 000006
【図５】
2008073056.tif 000007
【図６】
2008073056.tif 000008
【図７】
2008073056.tif 000009
【図８】
2008073056.tif 000010
【図９】
2008073056.tif 000011
【図１０】
2008073056.tif 000012
【図１１】
2008073056.tif 000013
【図１２】
2008073056.tif 000014
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
部材本体と、この部材本体の外側に、下地層を介して、合成樹脂材料で形成した透明状の装飾層と、この装飾層に混入された構造発色する構造発色体とを備えており、この構造発色体は、透明状で且つ光の屈折率が相対的に異なる合成樹脂材料の薄膜を複数層重ねて形成され、細かく粉砕して細長い円筒状の形態を成していることを特徴とするスポーツ用品。
【請求項２】
強化繊維に合成樹脂を含浸させたプリプレグシートを巻回することによって管状に形成した部材本体と、
この部材本体の外側に、下地層を介して、合成樹脂材料で形成した透明状の装飾層と、
この装飾層に混入された構造発色する構造発色体とを備えており、
この構造発色体は、透明状で且つ光の屈折率が相対的に異なる合成樹脂材料の薄膜を複数重ねて形成され、箔状粒子の形状を成し、前記装飾層中にランダム方向に配列されていることを特徴とするスポーツ用品。
【手続補正２】
【補正対象書類名】明細書
【補正対象項目名】０００５
【補正方法】変更
【補正の内容】
【０００５】
このような目的を達成するために、本発明のスポーツ用品は、部材本体と、この部材本体の外側に、下地層を介して、合成樹脂材料で形成した透明状の装飾層と、この装飾層に混入された構造発色する構造発色体とを備えており、この構造発色体は、透明状で且つ光の屈折率が相対的に異なる合成樹脂材料の薄膜を複数層重ねて形成され、細かく粉砕して細長い円筒状の形態を成している。
また、本発明によると、強化繊維に合成樹脂を含浸させたプリプレグシートを巻回することによって管状に形成した部材本体と、この部材本体の外側に、下地層を介して、合成樹脂材料で形成した透明状の装飾層と、この装飾層に混入された構造発色する構造発色体とを備えており、この構造発色体は、透明状で且つ光の屈折率が相対的に異なる合成樹脂材料の薄膜を複数重ねて形成され、箔状粒子の形状を成し、前記装飾層中にランダム方向に配列されているスポーツ用品が提供される。
【手続補正３】
【補正対象書類名】明細書
【補正対象項目名】０００６
【補正方法】変更
【補正の内容】
【０００６】
本発明によれば、部材本体の外側に、下地層を介して、合成樹脂材料で形成された透明状の装飾層中で、細かく粉砕された細長い円筒状の構造発色体が屈折率の異なる複数の薄膜による発色作用をなすことにより、長期間に亘って一定の外観を維持し続けることが可能な耐久性に優れた軽量のスポーツ用品を提供することができる。また、箔状粒子の形状を成す構造発色体をランダムな方向に配列する場合には、複雑な色の構造発色を実現することが可能となる。
【手続補正４】
【補正対象書類名】明細書
【補正対象項目名】００１２
【補正方法】変更
【補正の内容】
【００１２】
装飾層４は、構造発色する構造発色体６を混入した例えばエポキシやウレタン等の合成樹脂材料製の塗料１８を下地層１４の外面に塗装又は印刷することによって形成することが可能である。この場合、構造発色体６は、一方向に揃えて配列させたり、ランダム方向に配列させることが可能であるが、このような配列構成は、使用目的（構造発色させたい色の種類）に応じて任意に変更することが可能である。なお、装飾層４は、単層或いは複数層に構成することが可能であるが、図１（ｂ）には、その一例として、単層から成る装飾層４が示されている。
【手続補正５】
【補正対象書類名】明細書
【補正対象項目名】００１９
【補正方法】削除
【補正の内容】